(57)【特許請求の範囲】
【請求項１】
引張りにより、引張り方向に変形し、変形後のその伸張形状を固定する素材として、ＩＳＯ  ９０７３−３による引張強度測定法に係る強度で７２０Ｎ／５ｃｍ迄の範囲の強度で、引張り方向に伸び率２０％以上伸張する形で変形する不織布を使用する事で、顔面凹凸形状である目の睫毛部分に対応する部分を、その引張りによる引張り方向への変形により、変形後のその伸張形状を固定する事が出来、更に伸張作業を要する部分と、伸張作業を不要とする部分の境界部に、２の切り欠きを設け、伸張作業を要する部分を、その２の切り欠きで挟んだ、顔面上部を覆い、表裏を有する扁平な形状のアイマスク。
【請求項２】
引張りにより、引張り方向に変形し、変形後のその伸張形状を固定する素材として、ＩＳＯ  ９０７３−３による引張強度測定法に係る強度で７２０Ｎ／５ｃｍ迄の範囲の強度で、引張り方向に伸び率２０％以上伸張する形で変形する不織布を使用する事で、顔面凹凸形状である目の睫毛部分に対応する部分を、その引張りによる引張り方向への変形により、変形後のその伸張形状を固定する事が出来、更に伸張作業を要する部分と、伸張作業を不要とする部分の境界部に、３以上の切り欠きを設け、伸張作業を要する部分を、その３以上の切り欠きで囲んだ、顔面上部を覆い、表裏を有する扁平な形状のアイマスク。
【発明の詳細な説明】
【技術分野】
【０００１】  本発明は、理美容関連施設において、被施術者の顔面を、施術者による洗髪時の濯ぎ水等の飛沫による化粧落ちからの保護や、飛沫による不快感から保護する場合に、被施術者の顔面を覆う部材による付け睫毛等顔面凹凸部の破損、顔面蒸れ、顔面と部材の接触による化粧ふき取りを防止出来るアイマスクに係るものである。
【背景技術】
【０００２】  理美容関連施設では、散髪、パーマ及び髪染め等の施術の間に、被施術者を仰向けに寝かせた状態で、被施術者に対する洗髪を、施術者により複数回行う。
従来、特許文献６（登録案用新第３０７５６０４号公報）に記載の技術において、洗髪時の濯ぎ水等の飛沫による化粧落ち、及び被施術者への不快感防止の為、被施術者の顔面にガーゼ等の布片を置く措置を取っていた。
ここで布片を顔面上部形状に合わせたアイマスクが、特許文献１に記載されている。【０００３】  又、アイマスクの形状を顔面凹凸部形状に合わせて加工し、アイマスクを人の顔面に置いたときに、アイマスクと顔面との間に、一定の空間を有する下記アイマスクも存在する。
旅行時の仮眠等の使用ではあるが、ワイヤ又は縫目により顔面凸部とアイマスクの間に空間が設けられたアイマスクが、特許文献２に記載されている。
製造時の材料布片へのタック取による突設が設けられたアイマスクが、特許文献３（登録実用新案第３１６０２６８号公報）に記載されている。
一定の形状からなるフィルムに不織布を張り付けたアイマスクが、特許文献５（登録実用新案第３０４５３４７号公報）に記載されている。
【先行技術文献】
【０００４】
【特許文献１】特公開平７−２４１３１２号公報
【特許文献２】特公開２０１１−１６１２１９号公報
【特許文献３】登録実用新案第３１６０２６８号公報
【特許文献４】登録実用新案第３１４２８６０号公報
【特許文献５】登録実用新案第３０４５３４７号公報
【特許文献６】実録案用新案第３０７５６０４号公報
【発明の概要】
【発明が解決しようとする課題】
【０００５】  従来の布片のアイマスクは定型性を有さず被施術者の顔面全体に直接アイマスクが被さり、以下の欠点があった。
アイマスクと睫毛等との接触部は被施術者に不快感を与える。又、その接触により、着け睫毛が外れる。更に、その接触によりアイシャドウ等の化粧を拭き取ってしまう。
又、顔面とアイマスクとの間の隙間が少ないので装着時の蒸れにより、これも不快感や化粧ふき取りの原因となる。
理美容関連施設では散髪、パーマ及び染髪等の工程で複数回の洗髪を行い、その都度、アイマスクを被施術者に着用させる毎に上記問題が発生する。【０００６】  アイマスクの内、睫毛及び鼻梁ライン等の、被施術者の顔面凸部との接触する部分をワイヤ若しくは布の縫目により加工した場合、又は複数素材により縫製加工して、定型性及び上記接触部に空間を設ける場合は、製造工程が複雑となる。
更に、特許文献２（登録実用新案第号公報）に示したアイマスクの様な立体形状を有する事で、梱包や輸送のコストも嵩み、製品単価も上昇する。
ここで、これらのアイマスクは不特定の被施術者の肌に直接触れるので、衛生面及び被施術者の不快感から他の被施術者への再使用が困難であるが、上記高コストのアイマスクは使い捨てに馴染まない。更に、アイマスクを被施術者への使用後に、理美容関連施設において、洗濯等で再利用する場合、理美容施設での作業増加を招き、洗濯による立体形状の型崩れにより再利用の回数には制限が有る。
上記理由により、立体形状を有するアイマスクの、理美容関連施設での導入を難しくしている。
よって本発明の目的は、理美容関連施設の被施術者に上記不快感を与えず、更に使い捨てに堪え得る安価なアイマスクを提供する事である。
【課題を解決するための手段】
【０００７】  アイマスク形状は、理美容関連施設において、洗髪時に特に飛沫を浴びる部分である顔面上部を保護し得るよう、被施術者の顔面上部を覆う、表裏を有する扁平形状とする。
理美容関連施設において施術者の手作業による引張りにより、引張り方向に変形し、変形後その伸張形状を固定する素材をアイマスクに使用する。これにより、アイマスクを被施術者に対して使用するときに、アイマスクの内の、被施術者の睫毛や鼻梁ライン等の顔面凹凸形状に対応する部分を、被施術者の上記顔面凹凸部に合わせて、アイマスクへの伸張による変形による凹凸加工が出来る。
尚、本発明において、アイマスクのうち、上記顔面凹凸形状に対応し、伸張により変形し、変形後その伸張形状を固定させる部分である、伸張作業を要する部分を「伸長要部」と称する。アイマスクのうち、伸長要部以外の部分である、伸張作業を不要とされる部分を「伸張不要部」と称する。上記の伸張作業により変形した部分を「伸張部」と称する。
本アイマスクは、理美容関連施設での実際の使用時まで、立体形状を有さない扁平な状態であるので、製造時の工程も簡素であり、その後の梱包や輸送でもかさばらない。
上記の製造時等において立体形状を有する従来品と比し、コスト低減が図られる。
ここで上記素材には、施術者の手作業により容易に伸張し伸張後の形状に一定の定型性を有する物を使用する。
又、上記アイマスクにおいて顔面凸部に合わせた部分のみ伸張させ、他の部分は、素材の本来の扁平な形状を保つことが被施術者の顔面の凹凸に合わせて被せ、不快感を与えない事からも望ましい。
ここで、上記素材をアイマスク形状に合わせたのみでは、上記理美容関連施設における伸張作業において伸張要部が即座に判別できず、作業時間の増大及び、伸張不要部を伸張する等の誤作業を招くので、アイマスク１の内の顔面凸形状に対応し伸張作業を要する部分に、印２を付す。（図１）【０００８】  更に、伸張要部のみを伸張させると、伸張要部と連続する伸張不要部まで伸張させることで、伸張要部と伸張不要部との間に歪みを生じる。よって、上記印２の代わりに、伸張要部と伸張不要部の境界部に２以上の切り欠き６を設け、伸張要部をその切り欠き６により挟み、又は囲むことで、伸張要部のみを伸張させ、上記歪みの発生を防ぐ。
ここで、同一の被施術者における、同一の顔面凸部においても、睫毛における、瞼の中心部と周辺部及び、鼻梁ラインにおける、眉間からの位置の違いによる隆起の差等の、顔面平坦部を基準とした高度は差が生じている。伸張要部と伸張不要部の境界部の切り欠き６に加え、伸張要部の内側にも１以上の切り欠き７により境界を設ける。上記高度の差に基ずく、伸張を要する長さに合せた伸張が出来るようにする。（図２）
【発明の効果】
【０００９】  図１にアイマスク１の形状を示す。
図５に伸張後のアイマスク１の、伸張による変形後その伸張形状を固定された伸張要部及び、その周辺及び、睫毛及び鼻梁ライン等の顔面凸部の一例であり、下睫毛と比してより長い、上睫毛８との関係を示す。
伸張要部の伸張による変形と、その変形後の伸張形状の固定により、アイマスク１の伸張部は、上睫毛最上部９を頂点として、眼部１０の上下顔面皮膚１１ａ及び１１ｂにおける、伸張要部と伸張不要部の境界１２ａ及び１２ｂを両辺の最下部とする山型の形状となる。アイマスク１の伸張部には、眼部１０及び、顔面皮膚１１ａ及び１１ｂとの間に、顔面凸部に対応した一定の空間が形成される。上記の空間が形成される効果により、アイマスク１と上睫毛８との接触が回避される。
以下、本発明において、上記の空間を形成するアイマスク１の伸張部の形状を「山型の形状」と称する。【００１０】  又、被施術者が大型の付睫毛を着用した場合等、上記の空間により顔面凸部とアイマスク１との間に十分な空間を有さない場合がある。この場合、アイマスク１の伸張不要部は、眼部１０の上下の顔面皮膚１１ａ及び１１ｂとの接触部でその重量を保持し、睫毛８にはその重量は及ばない。アイマスク１の伸張部が睫毛最上部９と接触し、アイマスク１伸張部重量のみを睫毛８で支える。アイマスク１の伸張部の単位面積当たり重量は、伸張割合分が伸張前より減少する。伸張部の重量のうちの、上記の山型の形状の、両辺最下部から一定の範囲の重量も、アイマスク１のうちの、伸張部と連続する伸張不要部と接触する、眼部１０の上下の顔面皮膚７ａ及び７ｂで、その重量を保持し、上睫毛８にかかる重量が伸張部全体の重量と比し、軽減される。【００１１】  伸張要部を含むアイマスク１の素材に、伸び率２０％で変形し、その変形後の伸張形状を保持する物を使用した場合、伸張要部と伸張不要部の境界の、切り欠き６の長さを、目部１０の上下の、顔面皮膚１１ａ及び１１ｂ等の、顔面平坦部を基準として、上睫毛最上部９等の、顔面凸部頂点までの長さの３倍の長さとすると、上記の山型の形状を形成できる。上記の伸び率が２０％を超える素材をアイマスク１に使用すると、上記の切り欠き６の長さは更に短くできる。
【図面の簡単な説明】
【００１２】  図１は、本願発明の第一の実施例又は実施形態に係る、伸張要部に印２を付したアイマスク１の正面図である。
図２ないし４は、本願発明の第二の実施例に係る、伸張要部と伸張不要部の境界に、切り欠き６を設けた、アイマスク３ないし５の正面図であり、図２には、伸張要部の内側に設けた切り欠き７をも示している。
図５は、図２に係るアイマスク伸張部を、アイマスク使用者である、理美容関連施設における被施術者の顔面に装着した場合における眼、睫毛及び瞼の上下皮膚を表した側面図である
図６は、図２に係るアイマスクの使用状態図である。
【発明を実施するための形態】
【００１３】  図１は、本発明の第１の実施の形態にかかるアイマスク１を示す図である。図１を参照して、アイマスク１は、表面及び裏面を有する、扁平な形状の繊維により構成されており、上記素材に不織布を用いる。
尚、不織布とは「糸の形態を経ずに、繊維シート（ウェブ）を機械的、化学的、熱的に処理し、接着剤や繊維自身の融着力で接合して作る布」であり、伸張性と共に、快適な肌触り及び通気性を有する。
不織布の素材としては木綿、麻等の天然繊維及び、ポリエステル、ポリプロピレン、アクリル、ポリエチレン等の合成繊維及び、レーヨン、キュプラ等の再生繊維が有り、伸張による変形後の定型性を有する素材とする事で、その不織布を使用したアイマスク１も、引張りにより、引張り方向に変形し、変形後その伸張形状が固定される。
【００１４】  理美容関連施設において、施術者が、アイマスク１の裏面を被施術者の顔面に接触させて、アイマスク１を被施術者に着用させるときに、アイマスク１の表面において、睫毛及び鼻梁ライン等の、顔面凹凸部にアイマスク１が被さる部分に、印２を付しておく。印２は、アイマスク１の製造時にインク等が付されたものであり、施術者が目視により判別できるものとする。印２は、アイマスク１の利用者である施術者に対し、伸長要部であることを示すものである。
【００１５】  理美容関連施設におけるアイマスク１の使用方法について、施術者は、施術台の上に乗っている被施術者のために洗髪をするとき、アイマスク１を被施術者に対して使用する前に下記作業を行う。施術者は、アイマスク１の表面のうち、伸張要部である印２が付された箇所を中心とした場所の周囲を指でつまんで、その箇所を、アイマスク１の表面の外側の方向に向けて引っ張る。アイマスク１の表面のその箇所は伸長されて、施術者が指を離すと、アイマスク１のその箇所は、伸長されたままの形状となる。更に、その伸張部を、アイマスク１の裏側方向から指で押し、表側方向に向け、図５に係る山型の形状に係る凸部を形成して固定する。施術者は、アイマスク１の裏面を、被施術者の額及び両眼及び鼻梁ラインを含めた顔面上部に接触させて、アイマスク１を被施術者に着用させる。このとき、被施術者の顔面凸部と、上記のアイマスク１の凸部を合わせる。
【００１６】  施術者による上記変形について、理美容関連施設における主たる従業者である成人女性握力の平均は文部科学省の平成２５年体力等調査結果では３０Ｋｇ弱（男性は５０Ｋｇ弱）であり約２９４Ｎ（ニュートン）弱に相当するので、伸張要部の両端を両手で保持し引っ張った場合、伸張要部の両端を指二本（主に親指と人差し指）で撮んで保持すると、素材とする不織布の伸張要部は約１２０Ｎ迄の引張りに堪え得る。
ここで、ＪＩＳ規格は、一般不織布試験方法において、１９８９年に第１版として発行されたＩＳＯ９０７３−１、１９９５年に第２版として発行されたＩＳＯ９０７３−２、１９８９年に第１版として発行されたＩＳＯ９０７３−３、１９９７年に第２版として発行されたＩＳＯ９０７３−４、１９９５年に第１版として発行されたＩＳＯ９０７３−７、１９８８年に第１版として発行されたＩＳＯ９０９２に基ずき、対応する部分については技術的内容を変更することなく作成されており、引張強さ及び伸び率はＩＳＯ９０７３−３で「５ｃｍ幅で測定」と定めている。
よって伸張要部幅を１ｃｍとした場合、２０％以上の伸び率を得る事が必要な不織布素材には約７２０Ｎ／５ｃｍ迄の力での引張り強度を要する物迄が使用可能であり、伸張要部幅を２ｃｍとした場合、２０％以上の伸び率を得る事が必要な不織布素材には約３６０Ｎ／５ｃｍ迄の力での引張り強度を要する物迄が使用可能である。
【００１７】  アイマスク１は扁平な形状の繊維であり、特許文献２に示した様な立体的な形状を有する従来製品に比し、製造及びその後の輸送においてコストが削減される効果を有する。
更に、特許文献１に示した様な扁平な形状のみを有する従来製品に比し、理美容関連施設における施術者による、アイマスク１への伸張作業により、アイマスク１における、被施術者の顔面凸部に対応する部分に、顔面と逆方向に凸形状を有する空間を設ける効果を有する。
尚、印２により、アイマスク１中の伸張要部を、伸張不要部から容易かつに正確に判別でき、伸張要部のみの伸張作業を短時間に行える効果を有する。
【００１８】  図５は、伸張後のアイマスク１の、伸張部及び、伸張不要部であるその周辺及び、睫毛及び鼻梁ライン等の顔面凸部の一例であり、下睫毛と比してより長い、上睫毛８との関係を示す図である。
伸張要部の伸張による変形と、その変形後の伸張形状の固定により、アイマスク１の伸張要部は、上睫毛最上部９を頂点として、眼部１０の上下顔面皮膚１１ａ及び１１ｂにおける、伸張要部と伸張不要部との境界１２ａ及び１２ｂを、両辺の最下部とする山型の形状の伸張部となる。アイマスク１の伸張部によって、眼部１０並びに顔面皮膚１１ａ及び１１ｂとの間に、顔面凸部に対応した一定の空間が形成される。ここで、被施術者の顔面凸部以外の場所である、眼部１０の上下の顔面皮膚１１ａ及び１１ｂが、アイマスク１の内の、伸張不要部の重量を保持する。
又、アイマスク１の伸張部も、連続する伸張不要部を介して、上記の顔面皮膚で、その重量を保持される
又、上記伸張部の面積は、伸張により伸張の前に比し、伸張の割合の分で増加する。伸張部の重量は、伸張の前のその伸張要部の重量と同一のままである。よって、伸張部の不織布の単位面積当たりの重量は、伸張の前の不織布の単位面積当たりの重量より、伸張による面積増加の割合の分減少する。
これらの効果により、上記の空間を形成するアイマスク１の伸張部は、その素材である不織布の自重に堪え、被施術者の顔面凸部に対応し、その形状を保持する。
上記の空間が形成される効果により、アイマスク１と上睫毛８との接触が回避される。
【００１９】  又、被施術者が大型の付睫毛を着用している場合等、上記空間により顔面凸部とアイマスク１との間に十分な空間を有さない場合がある。アイマスク１の伸張不要部は、被施術者の顔面凸部以外の場所である、眼部１０の上下の顔面皮膚１１ａ及び１１ｂが、その重量を保持するので、アイマスク１の伸張部が睫毛最上部９と接触し、アイマスク１の伸張部のみの重量を、睫毛８で保持する。
更に、伸張部の重量の内の、図５に示す上記の山型の形状の、両辺の最下部から一定の範囲の重量も、アイマスク１の伸張部と連続する伸張不要部と接触する、眼部１０の上下の顔面皮膚１１ａ及び１１ｂでその重量を保持し、伸張部の重量の内の一定割合の重量が、上睫毛８にかかる重量から軽減される。
これらにより、被施術者の、アイマスク１着用による、顔面凸部とアイマスク１との接触による不快感は軽減され、付睫毛の破損も回避できる効果を有する。
【００２０】  図２ないし４は、本発明の第２の実施の形態にかかるアイマスク３ないし５を示す図である。アイマスク１が、表面及び裏面を有する、扁平な形状の繊維により構成されており、上記素材に不織布を用いる点は、上記第一の実施形態と同様である。切り欠き６を印２の代わりとし、切り欠き６を伸張要部と伸張不要部の境界とした点において異なる。
図２に係るアイマスク２の場合、被施術者の顔面凸部の内、下睫毛より長い上睫毛部に対応する部分を中心に、顔面上下方向に略垂直方向に、１ヶ所の伸張要部に、２ヶ以上の切り欠き３を設ける。アイマスク３の内の被施術者の顔面凸部に対応する部分である伸張要部が、上記切り欠き６により挟まれている。
理美容関連施設における施術者は、アイマスク３の内の、２ヶの切り欠き６に挟まれた、伸張要部の両端を、指でつまんで、表面の外側の方向に向けて引張る。第一の実施形態に係る場合と同様の効果に加え、アイマスク３の伸張要部と伸張不要部が、切り欠き６により境界を有し、連続しない事により、伸張要部の伸張作業に伴う、伸張不要部の伸張及び、伸張要部と伸張不要部の間の歪みを防止できる効果を有する。
【００２１】  図３は、本発明の第２の実施の形態の、変形例１に係るアイマスク４を示す図である。図３に係るアイマスク４の場合、被施術者の顔面凸部の内、下睫毛より長い上睫毛部に対応する部分を中心に、鼻梁ラインと略水平方向に、１ヶ所の伸張要部に、２ヶ以上のに切り欠き６を設けた点が、図２に係るアイマスク３の場合と異なる。
図４は、本発明の第２の実施の形態の、変形例２に係るアイマスク５を示す図である。図４に係るアイマスク５の場合、被施術者の顔面凸部の内、下睫毛より長い上睫毛部に対応する部分を中心に、１ヶ所の伸張要部に、３ヶ以上の切り欠き６を設け、それらの切り欠き６により、伸張要部を囲んで伸張不要部との境界とした点が、図２及び３に係るアイマスク３及び４の場合と異なる。図４は１ヶ所の伸張要部を３ヶの切り欠き６で囲んでいる。
【００２２】  更にアイマスク３の内の、１ヶ所の顔面凸部に対応する部分である、２ヶの切り欠き６に挟まれた１ヶ所の伸張要部の内側にも、１ヶ以上の切り欠き７を設ける。上記の１ヶ所の伸張要部の内側に、切り欠き７により境界を設け、切り欠き７を境界として介した、隣接する２以上の伸張要部とする。同一の被施術者における、同一の顔面凸部においても、睫毛における、瞼の中心部と周辺部及び、鼻梁ラインにおける、眉間からの位置の違いによる隆起の差等の各場所において、顔面平坦部を基準とした高度の差が有るが、その差に合せた長さの伸張部とできる効果を有する。請求項７に係る実施例である。
【符号の説明】
【００２３】１  アイマスク
２  印
３  アイマスク
４  アイマスク
５  アイマスク
６  切り欠き
７  切り欠き
８  上睫毛
９  上睫毛最上部
１０  眼部
１１  顔面皮膚
１２  アイマスクの伸張要部と伸張不要部の境界
【図１】
0006342831.tif 000002
【図２】
0006342831.tif 000003
【図３】
0006342831.tif 000004
【図４】
0006342831.tif 000005
【図５】
0006342831.tif 000006
【図６】
0006342831.tif 000007